(57)【要約】      （修正有）【課題】ループタイやネックレス、ブレスレット、アンクレット等多様に使用できる紐状アクセサリーを提供する。【解決手段】７０ｃｍ乃至１４０ｃｍ程度の紐状部材の両端を中空環の環にそれぞれの方向から挿通してループ状に交差させると共に、この交差した位置に中空環を有する紐状アクセサリーであって、紐状部材の一端部に少なくとも輪状部と他端部に紐端部アクセサリーとを有し、紐端部アクセサリーを輪状部の輪内に挿入することにより着脱自在に紐状部材の端部が連結する。【選択図】図１
0003174666.tif 000002
【実用新案登録請求の範囲】
【請求項１】
７０センチメートル乃至１４０センチメートル程度の紐状部材（１）の両端を中空環（２）の環にそれぞれの方向から挿通してループ状に交差させると共に、この交差した位置に中空環（２）を有する紐状アクセサリーであって、
紐状部材（１）の一端部に少なくとも輪状部（５）と他端部に紐端部アクセサリー（６）とを有し、
紐端部アクセサリー（６）を輪状部（５）の輪内に挿入することにより着脱自在に紐状部材（１）の端部が連結することを特徴とする紐状アクセサリー。
【請求項２】
紐状部材（１）の両端部に輪状部（５）と紐端部アクセサリー（６）とを有することを特徴とする請求項１記載の紐状アクセサリー。
【請求項３】
ループ状の紐状部材（１）の交差位置に着脱自在の環状部材（３）を有し、該環状部材（３）にはアクセサリー（４）が連設するものであることを特徴とする請求項１又は２のいずれかに記載の紐状アクセサリー。
【請求項４】
紐端部アクセサリー（６）が円盤状アクセサリーからなる請求項１乃至３のいずれかに記載の紐状アクセサリー。
【請求項５】
紐端部アクセサリー（６）が星形アクセサリーからなる請求項１乃至３のいずれかに記載の紐状アクセサリー。
【請求項６】
紐端部アクセサリー（６）が複数角形状アクセサリーからなる請求項１乃至３のいずれかに記載の紐状アクセサリー。
【請求項７】
紐端部アクセサリー（６）がハート形アクセサリーからなる請求項１乃至３のいずれかに記載の紐状アクセサリー。
【考案の詳細な説明】
【技術分野】
【０００１】
本考案は、紐状アクセサリーであって、特にループタイのように首元に装着することができるばかりでなくブレスレット等のように首回り以外に腕や足首等にも装着でき、更には各種アクセサリーとして用いることのできる紐状アクセサリーに関する。
【背景技術】
【０００２】
従来、紐状アクセサリーであって少なくとも７０センチメートル乃至１４０センチメートル程度の紐状部材を用いたアクセサリーであって、身飾品として用いられるものの代表的なものはループタイである。
このループタイに関してはネクタイの代用として首回りに掛けて用いるものであり、そのために両端部分を有する紐状部材をネクタイのように一か所で止めて首回りに装着するものである。
【０００３】
特にフォーマルというよりカジュアルな場面でネクタイ代わりに用いるものであり、ネクタイの大剣部と小剣部の代わりに紐状部材を用い、更に結び目の代わりに止め具を用いるものであり、係る構造を有する構成である。
従って、特開２００６‐１１２０２１号（特許文献１）、特開平１０‐１１０３１１号（特許文献２）、実登第３１４７６４１号（特許文献３）等が存在する。
【先行技術文献】
【特許文献】
【０００４】
【特許文献１】特開２００６‐１１２０２１号
【特許文献２】特開平１０‐１１０３１１号
【特許文献３】実登第３１４７６４１号
【考案の概要】
【考案が解決しようとする課題】
【０００５】
以上の様に、７０センチメートル乃至１４０センチメートル程度の紐状部材を用いた紐状アクセサリーに関して、最も多用されているループタイは両端を有する１本の紐状部材を用いるものであり、これを止め具で止める構造を基調としており、ちょうど胸元を飾るアクセサリーである。
【０００６】
しかし、そもそも一本の紐状アクセサリーであるがその長さは首元の太さを考慮して７０センチメートル乃至１４０センチメートル程度の紐状部材からなるものであって、これよりも極端に細い手首や足首に用いるブレスレットやアンクレットには使用できるものではなかった。
【０００７】
即ち例えば首回りよりも細い手首や足首に装着すると止め具から外部方向につながる紐状部材の両端部分が極めて不要な長尺形状の紐部分として残り、実際的にループタイをブレスレットやアンクレット等に用いることはできないものであった。
【０００８】
更にループタイもプレスレット等もいずれも身につける装飾品であり、よりデザイン性が高く、オシャレな外観を有するものが望まれるものであり、そのための何らかの装飾を施すことはどうしても要求されるものである。
【０００９】
そこで係る紐状アクセサリーに関してより装飾性を高めることができると共にその長さの有する紐状アクセサリーとして高い首回り以外の手首や足首等に装着でき、身体の各部位に装着できる装飾品として提供するが望まれるものである。
【課題を解決するための手段】
【００１０】
以上のように係る課題を見事に解決するため、ループタイやネックレス、ブレスレット、アンクレット等として使用できる紐状アクセサリーの提供を課題とするものである。
【００１１】
係るため請求項１に係る考案は７０センチメートル乃至１４０センチメートル程度の紐状部材の両端を中空環の環にそれぞれの方向から挿通してループ状に交差させると共に、この交差した位置に中空環を有する紐状アクセサリーであって、紐状部材の一端部に少なくとも輪状部と他端部に紐端部アクセサリーとを有し、紐端部アクセサリーを輪状部の輪内に挿入することにより着脱自在に紐状部材の端部が連結する紐状アクセサリーからなり、係る考案によって前記課題を解決できる。
【００１２】
又、請求項２に係る考案は紐状部材の両端部に輪状部と紐端部アクセサリーとを有する紐状アクセサリーであり、係る考案を用いてもよい。
更に、請求項３に係る考案はループ状の紐状部材の交差位置に着脱自在の環状部材を有し、該環状部材にはアクセサリーが連設する紐状アクセサリーからなり、係る考案を用いてもよい。
【００１３】
これらの場合、請求項４に係る考案のように紐端部アクセサリーが円盤状アクセサリーからなる紐状アクセサリーでも、請求項５に係る考案のように星形アクセサリーからなるものでも、請求項６に係る考案のように複数角形状アクセサリーからなるものでも、請求項７に係る考案のようにハート形アクセサリーからなるものであってもよい。
【考案の効果】
【００１４】
以上のように構成したことから、まず請求項１に係る考案によって本考案に係る紐状アクセサリーをループタイとして用いるばかりでなく、ネックレスやブレスレット或いはアンクレット等にも使用できるものである。
特にこの紐状アクセサリーはその両端部分が連結するものであり、多様の使用目的に使用しても紐全体が着脱自在のループ状を形成し、必要な回数巻きつけることによってきれいにかつ簡単に装着できると共に簡単に取り外すこともできる。
【００１５】
従って本考案に係る紐状アクセサリーによりおしゃれにかつ見栄え良く多様な使用態様に対応できるものとなる。
更に請求項２に係る考案によって、紐状アクセサリーの両端に輪状部と紐端部アクセサリーを有することとなり、全体的なデザイン上のバランスを取れるばかりでなく重量的にもバランスをとることができ、装着時の見栄えの良い装着を可能とする。
【００１６】
又請求項３に係る考案により、交差位置に着脱自在の環状部材を有するものとなり、該環状部材によって自由に各種のアクセサリーの装着及び取り外しを可能とする。
従って多彩なアクセサリーを自由に付け替えることができるものとなる。
【００１７】
更に請求項４に係る考案によって、紐端部アクセサリーとして円盤状アクセサリーを使用できることとなりデザイン性の優れたアクセサリーを用いるばかりでなく輪状部への挿入、取り出しを簡単に行えるばかりでなく、装着時においても不用意なはずれ等を防止できる。
【００１８】
又請求項５に係る考案によって、更に星形アクセサリーを、請求項６に係る考案のよって複数角形状アクセサリーを、請求項７に係る考案によってハート形アクセサリーを用いることができ、それぞれ各種のデザイン性の優れたアクセサリーを用いることができるばかりでなく、輪状部への挿入、取り出しを簡単に行えるばかりでなく、装着時においても不用意なはずれ等を防止できる。
【図面の簡単な説明】
【００１９】
【図１】本考案に係る紐状アクセサリーの一例を示す図。
【図２】本考案に係る紐状アクセサリーの紐状部材の両端を連結した状態の一例を示す図。
【図３】本考案に係る紐状アクセサリーをブレスレットとして使用した一例を示す図
【考案を実施するための形態】
【００２０】
図１は、本考案に係る紐状アクセサリーの一例を示す図であり、ループタイとして使用する際の一例を示すものであって、少なくとも長さが７０センチメートル乃至１４０センチメートル程度の一本の紐状部材１を交差させてループ状を形成しているものである。
このループ状に交差した点において中空環２を２つとその環の間に環状部材３を３つとそれぞれの環状部材３にアクセサリー４を連設して装着している一例を示す。
【００２１】
即ち７０センチメートル乃至１４０センチメートル程度の紐状部材１の両端を中空環２のそれぞれの方向から挿通してループ状に交差させと共に、この交差部分に中空環２を有する紐状アクセサリーからなるものである。
更に紐状部材１の両端部分には紐状部材１を輪状に形成して輪状部５を構成した上でその端部には円盤状アクセサリー６をそれぞれ有するものである。
【００２２】
従って紐状部材１の交差部分で中空環２により、該紐状部材１が挿通しており、この紐状部材１がばらけるのを防ぎ、ネクタイの結び目代わりの止め具として活用できるものである。
特に中空環２は紐状部材１の径よりも二倍よりやや太径を有するものであり、中空環２の環に紐状部材１を挿通できる反面、一定位置で紐状部材１を係止することができるものである。
【００２３】
即ち紐状部材１を交差して挿通するものであり、この交差状態で中空環２を挿通することにより紐状部材１を自在に挿通できる反面、一定位置で係止することもできる。
従って、紐状アクセサリーについて一定のループ状態を維持でき、ループタイとして用いることができる。
更に、中空環２は本図においては二つ有しているが、これに限らず１つでも或いは２つ以上でもよい。
【００２４】
中空環２は少なくとも紐状部材１が挿通すると共に任意位置で紐状部材を係止できる程度の径を有する環状部分を有するものであればよく、円筒状のものでも或いは角形状や各種形状のアクセサリー等に少なくとも環状部分を有して外観形状は問わない。
又本図においては、本考案に係る紐状アクセサリーの２つの中空環２の間に環状部材３を有しており、この環状部材３にも同様に紐状部材１が挿通しており、この環状部材３に更に各種アクセサリー４が配設されている。
【００２５】
従って、各種のアクセサリーを該紐状アクセサリーに自由に着脱装着できるものであり、極めてデザイン性の高い紐状アクセサリーを提供できる。
本図においては十字架のアクセサリー４と植物の葉をモチーフにしたアクセサリー４が２つ装着しているものである。
この場合環状部材３はこの紐状部材１に着脱自在に装着できるものであれば、任意のアクセサリーの装着のために自在に付け替えられることとなる。
【００２６】
次に本考案に係る紐状アクセサリーの両端には輪状部５とこれに続く紐端部アクセサリー６を有するものである。
紐端部アクセサリー６として本図では円盤状アクセサリーを有する。
この場合該円盤状アクセサリーは紐状部材１の他端に設けた輪状部５に挿入することができ、この挿入により紐状部材１の両端部が着脱自在に連結されることとなる。
【００２７】
従って、少なくとも紐端部アクセサリー６は対応する輪状部５に挿入して連設状態とすることのできるものであればよく、円盤形状のほか他の各種形状を有するものでもよい。
【００２８】
例えば円盤状やコイン状の他、星形やハート形、その他複数角形状のアクセサリー、或いは各種のものをモチーフ等としたアクセサリーであってもよい。
更に輪状部５は該紐端部アクセサリー６を輪内に挿入でき、連結可能な輪状部５であればよい。
【００２９】
本図においては輪状部５の先に紐端部アクセサリー６を有するが、これに限らず紐端部アクセサリー６を有した後、更にその端部方向に輪状部５を有するものであってもよい。
輪状部５と紐端部アクセサリー６により紐状部材１の両端部が連結すればよいものであり、少なくとも紐状部材１のいずれか一方の端部に輪状部５と、紐状部材１の他端に紐端部アクセサリー６を有していればよい。
【００３０】
もとより本図のように両端にそれぞれを輪状部５と紐端部アクセサリー６を有するものであってもよい。
これにより重量的バランスが取りやすくなり、偏りのない装着を可能とする。
尚、本図構成で中空環２部分を装着時に胸の前に持ってきた場合には、例えばループタイとして使用できるが、この中空環２部分を首の後ろ側に持ってきた場合にはネックレスとしても使用できるものである。
【００３１】
例えばアクセサリーのための環状部材３を中空環２の外側に持ってきた場合には背中側に中空環２を位置させ、前方側に環状部材３を位置させることができ、この環状部材３に任意の各種アクセサリー４を装着することもできる。
次にこの紐状アクセサリーの紐状部材１は約７０センチメートル乃至１４０センチメートル程度の長さを有するものであり、これによりループタイやネックレスとして用いることが可能となる。
【００３２】
もとよりこれより長い場合や短い場合にはループタイとしての使用に不都合がでることから最適な長さは約７０センチメートル乃至１４０センチメートル程度の長さを有することが必要である。
次に紐状部材１は皮製のほか、合皮、各種の生地より構成されているものでもよく、織紐や編紐、組紐、樹脂製の紐等各種の材質からなる紐状部材であればよく、例えばチェーン等を用いて紐状に構成した紐状部材１であってもよい。
【００３３】
図２は、図１に示す紐状アクセサリーの端部を連結した状態の一例を示す図である。
このように構成することにより紐状アクセサリーの両端が連結して特殊なアクセサリーを形成できるものとなる。
即ち小径のループを構成でき、両端を連結することにより全体でループを形成し、必要に応じて２連又はこれ以上のループ即ち数輪の輪状に形成できるものとなる。
【００３４】
従って端部のない大きなループを形成でき、必要な径の輪を幾重にも構成できることから、巻きつけ個所の径に対応した径を有するループ状に幾重にも巻きつけられるものである。
図３は、本考案に係る紐状アクセサリーをブレスレットとして使用している一例を示す。
本来長尺のループタイ程度の長さを有する紐状部材を手首に巻きつけると係止具によって一定の長さまでは巻きつけることは可能であるが、どうしても紐状部材の両端部分が余剰部分として出てしまうものである。
【００３５】
従って長尺の突出した紐が手首回りにどうしても出っ張ってしまうこととなる。
特に手元にこの様な不要部分が出てしまうと使いづらく又見栄えもよくないものとなる。
このことより従来はループタイをブレスレットで使用する等のことは行われないものである。
しかし、本考案に係る紐状アクセサリーはループタイとして使用可能な長尺形状の紐状部材１を用いながらこれを本図に示すようにブレスレットとしても使用でき、又図示しないが同様にアンクレット等にも使用できる。
【００３６】
本図に示すように最も邪魔となる紐状部材１の両端部は、それぞれの端部にある輪状部５と紐端部アクセサリー６とによって連結することができ、大きなループ形状に構成できるものであって、極めてデザイン性のみならず使い心地のよいブレスレットとして使用できるものとなる。
特に紐端部アクセサリーも他のアクセサリー類と同様にデザイン性を高めているものであり、極めてオシャレなアクセサリーの提供ができる。
【００３７】
この場合環状部材３によって装着しているアクセサリーに関しても任意のアクセサリー４を着脱自在に装着できるものであり、極めて使い勝手の良い紐状アクセサリーの提供ができる。
【符号の説明】
【００３８】
１  紐状部材
２  中空環
３  環状部材
４  アクセサリー
５  輪状部
６  紐端部アクセサリー
【図１】
0003174666.tif 000003
【図２】
0003174666.tif 000004
【図３】
0003174666.tif 000005